(57)【特許請求の範囲】
【請求項１】
表示領域、及び前記表示領域を囲む枠領域を有する表示器と、
前記表示領域のエッジ領域に配置され、且つ前記表示領域に対向する第１入光面、前記表示領域に対して傾斜する反射屈折面、並びに前記第１入光面及び前記反射屈折面に接続される第１出光面を有する第１プリズムと、
前記第１プリズムの傍に配置され、前記枠領域の上方に位置する第２プリズムと、を含み、
前記第２プリズムは、前記第１出光面に対向する第２入光面、及び前記枠領域の上方に位置し、且つ前記枠領域に背中を向けている第２出光面を有し、
前記第１出光面と前記第２入光面との間には隙間があり、前記表示領域の前記第１入光面により覆われている領域からの一部の光束は、順次前記第１入光面を透過して、前記反射屈折面により前記表示領域の上方に屈折され、前記表示領域の前記第１入光面により覆われている領域からのもう一部の光束は、順次前記第１入光面を透過して、前記反射屈折面により反射され、順次前記第１出光面、前記隙間、前記第２入光面及び前記第２出光面を透過して、前記枠領域の上方へ伝搬される、表示装置。
【請求項２】
前記第２プリズムは前記表示領域に対して傾斜する傾斜面を有し、
前記傾斜面は、前記第２入光面及び前記第２出光面に接続され、且つ前記第２入光面からの前記もう一部の光束の少なくとも一部を前記第２出光面に反射する、請求項１に記載の表示装置。
【請求項３】
前記反射屈折面は、前記第１入光面からの前記もう一部の光束を前記第１出光面に全反射し、
前記傾斜面は、前記第２入光面からの前記もう一部の光束を前記第２出光面に全反射する、請求項２に記載の表示装置。
【請求項４】
反射面を有する反射手段、をさらに含み、
前記反射面の一端は前記表示領域と前記枠領域との境界に実質的に隣接し、前記反射面の他端は前記第２出光面の前記表示領域から離れた端に隣接する、請求項１に記載の表示装置。
【請求項５】
前記第２プリズムは、前記表示領域に対して傾斜する傾斜面を有し、
前記傾斜面は前記第２入光面及び前記第２出光面に接続され、
前記反射面の前記表示領域に対する傾斜度は、前記傾斜面の前記表示領域に対する傾斜度よりも大きい、請求項４に記載の表示装置。
【請求項６】
前記表示領域の前記エッジ領域と前記第１入光面との間に配置される視差バリア、をさらに含み、
前記視差バリアは、前記エッジ領域を覆い、且つ前記エッジ領域の一部の複数の画素を遮蔽する複数の遮光部及び前記エッジ領域のもう一部の複数の画素を露出させる複数の透光部を有し、
前記遮光部により遮蔽された前記一部の画素から射出された光束は、前記透光部を介して順次前記第１入光面及び前記反射屈折面に斜めに伝搬されて、前記反射屈折面により前記表示領域の上方に屈折され、前記もう一部の画素から射出された光束は、前記透光部を介して順次前記第１入光面を透過して、前記反射屈折面により反射されて、前記隙間を透過して、前記第２入光面から出射される、請求項１に記載の表示装置。
【請求項７】
表示領域、及び前記表示領域を囲む枠領域を有する表示器と、
前記表示領域のエッジ領域に配置され、且つ前記表示領域に対向する第１入光面、前記表示領域に対して傾斜する反射屈折面、並びに前記第１入光面及び前記反射屈折面に接続される第１出光面を有する第１プリズムと、
前記第１プリズムの傍に配置され、前記枠領域の上方に位置する第２プリズムと、を含み、
前記第２プリズムは、前記第１出光面に対向する第２入光面、前記枠領域の上方に位置し、且つ前記枠領域に背中を向けている第２出光面、並びに前記第２入光面及び前記第２出光面に接続される傾斜面を有し、
前記第１出光面と前記第２入光面との間には隙間があり、前記第１出光面と前記第２入光面とは互いに対向する、表示装置。
【請求項８】
反射面を有する反射手段、をさらに含み、
前記反射面の一端は前記表示領域と前記枠領域との境界に実質的に隣接し、前記反射面の他端は前記第２出光面の前記表示領域から離れた端に隣接する、請求項７に記載の表示装置。
【請求項９】
前記反射面の前記表示領域に対する傾斜度は、前記傾斜面の前記表示領域に対する傾斜度よりも大きい、請求項８に記載の表示装置。
【請求項１０】
前記表示領域の前記エッジ領域と前記第１入光面との間に配置される視差バリア、をさらに含み、
前記視差バリアは、前記エッジ領域を覆い、且つ前記エッジ領域の一部の複数の画素を遮蔽する複数の遮光部及び前記エッジ領域のもう一部の複数の画素を露出させる複数の透光部を有し、
前記遮光部により遮蔽された前記一部の画素から射出された光束は、前記透光部を介して順次前記第１入光面及び前記反射屈折面に斜めに伝搬されて、前記反射屈折面により前記表示領域の上方に屈折され、前記もう一部の画素から射出された光束は、前記透光部を介して順次前記第１入光面を透過して、前記反射屈折面により反射されて、前記隙間を透過して、前記傾斜面により反射されて、前記第２入光面から出射される、請求項７に記載の表示装置。
【請求項１１】
前記傾斜面の前記表示領域に対する傾斜角は１０°〜８０°の範囲内にある、請求項２又は７に記載の表示装置。
【請求項１２】
前記隙間は、前記表示領域内に位置し、或いは前記表示領域と前記枠領域との境界に合わせる、請求項１又は７に記載の表示装置。
【請求項１３】
前記反射屈折面の前記表示領域に対する傾斜角は１０°〜８０°の範囲内にある、請求項１又は７に記載の表示装置。
【請求項１４】
前記隙間は、空気隙間、気体隙間又は真空隙間である、請求項１又は７に記載の表示装置。
【請求項１５】
前記枠領域の角部の上方に配置されたプリズム群、をさらに含む、請求項１又は７に記載の表示装置。
【請求項１６】
前記表示器の上に配置された透明板、をさらに含み、
前記透明板は、前記第１プリズム及び前記第２プリズムを覆う、請求項１又は７に記載の表示装置。
【請求項１７】
前記透明板は、第３入光面を有し、
前記第３入光面は、前記表示器の表面に実質的に平行する、請求項１６に記載の表示装置。
【発明の詳細な説明】
【技術分野】
【０００１】
本発明は、表示装置に関する。
【背景技術】
【０００２】
大スクリーン表示システムは、電気通信ネットワーク管理、公安交通警察官の指示、交通監視管理、軍事作戦指揮訓練、工業生産のスケジューリング等複数の領域の制御室に広く使用されている。大スクリーン表示システムは、大面積で各種の共有情報及び総合的情報を表示することへのユーザの要求を満たすように、多種の異なる信号源の信号をまとめて表示できる。また、一般的に複数のスクリーンをスプライシング（ｓｐｌｉｃｉｎｇ）して比較的に大きい表示スクリーンを実現する応用も各分野に現れている。現在、大スクリーン表示システム又は一般的な表示スクリーンのスプライシングは、通常、複数の液晶表示器（ＬＣＤ：Ｌｉｑｕｉｄ  Ｃｒｙｓｔａｌ  Ｄｉｓｐｌａｙ）を表示部として採用してスプライシングを行う。
【０００３】
液晶表示器は、年々に発展し、現在は表示器の主流となっている。液晶表示器の利点は、厚さが薄く、重さが軽く、消費電力が低く、寿命が長く、放射がないことであり、液晶表示器は表示画面が微細であり、解像度が高く、各主要な性能指標が優れている。しかし、液晶表示器が上記の利点を有するが、液晶表示器の動作原理により、液晶表示パネルの無効領域及びフロント枠構造の制限を回避しにくい。このため、複数の液晶表示器を用いてマルチスクリーンのスプライシングを実現する場合は、これらの液晶表示器の表示画面の間に枠が存在するから、表示画面全体の不連続感に繋がり、鑑賞の品質に影響を与えてしまう。
【０００４】
「背景技術」段落の内容は本発明の内容の理解を助けるためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【発明の概要】
【発明が解決しようとする課題】
【０００５】
本発明は、枠なしの表示効果を達成できる表示装置を提供する。
【０００６】
なお、本発明の他の目的及び利点は、本発明に開示されている手段から更に分かる。
【課題を解決するための手段】
【０００７】
上記本発明の目的の一つ、一部若しくは全部、又は他の目的を達成するため、本発明の１つの実施例は、表示領域、及び前記表示領域を囲む枠領域を有する表示器と、前記表示領域のエッジ領域に配置され、且つ前記表示領域に対向する第１入光面、前記表示領域に対して傾斜する反射屈折面、並びに前記第１入光面及び前記反射屈折面に接続される第１出光面を有する第１プリズムと、前記第１プリズムの傍に配置され、前記枠領域の上方に位置する第２プリズムと、を含み、前記第２プリズムは、前記第１出光面に対向する第２入光面、及び前記枠領域の上方に位置し、且つ前記枠領域に背中を向けている第２出光面を有し、前記第１出光面と前記第２入光面との間には隙間があり、前記表示領域の前記第１入光面により覆われている領域からの一部の光束は、順次前記第１入光面を透過して、前記反射屈折面により前記表示領域の上方に屈折され、前記表示領域の前記第１入光面により覆われている領域からのもう一部の光束は、順次前記第１入光面を透過して、前記反射屈折面により反射され、順次前記第１出光面、前記隙間、前記第２入光面及び前記第２出光面を透過して、前記枠領域の上方へ伝搬される、表示装置を提供する。
【０００８】
本発明の１つの実施例では、上記本発明の目的の一つ、一部若しくは全部、又は他の目的を達成するため、本発明の１つの実施例は、表示領域、及び前記表示領域を囲む枠領域を有する表示器と、前記表示領域のエッジ領域に配置され、且つ前記表示領域に対向する第１入光面、前記表示領域に対して傾斜する反射屈折面、並びに前記第１入光面及び前記反射屈折面に接続される第１出光面を有する第１プリズムと、前記第１プリズムの傍に配置され、前記枠領域の上方に位置する第２プリズムと、を含み、前記第２プリズムは、前記第１出光面に対向する第２入光面、前記枠領域の上方に位置し、且つ前記枠領域に背中を向けている第２出光面、並びに前記第２入光面及び前記第２出光面に接続される傾斜面を有し、前記第１出光面と前記第２入光面との間には隙間があり、前記第１出光面と前記第２入光面とは互いに対向する、表示装置を提供する。
【発明の効果】
【０００９】
上述したように、本発明の実施例は下記の利点の少なくとも１つを有する。本発明の実施例の表示装置では、第２プリズムが第１プリズムの傍に配置され、且つ表示器の枠領域の上方に位置する。また、表示器の表示領域の第１入光面により覆われている領域からの一部の光束が順次第１入光面を透過し、反射屈折面により反射され、順次第１出光面、隙間、第２入光面及び第２出光面を透過し、枠領域の上方へ伝搬される。このため、表示装置は、枠なしの表示効果を達成できる。また、第１プリズムの傾斜角、第１プリズムと第２プリズムとの間の隙間又は反射手段の設計を利用することで、視聴者が第１プリズムの一方側から比較的に大きい視角で表示装置を鑑賞場合であっても、視聴者が表示装置の枠を見えず、表示画面を見えるため、大視角で表示画面を見る場合の表示効果を向上できる。
【００１０】
本発明の上述した特徴及び利点をより明確に分かるように、図面を参照しながら、下記実施例に基づいて詳細に説明する。
【図面の簡単な説明】
【００１１】
【図１Ａ】本発明の１つの実施例の表示装置の平面図である。
【図１Ｂ】図１Ａの実施例の表示装置の表示領域と枠領域との境界における部分（線分Ａ−Ａ’に沿う）の部分側面断面図である。
【図１Ｃ】本発明の１つの実施例の複数の図１Ａの実施例の表示装置をスプライシングする時の上面図である。
【図２】本発明のもう１つの実施例の表示装置の表示領域と枠領域との境界における部分の部分側面断面図。
【図３】本発明のもう１つの実施例の表示装置の表示領域と枠領域との境界における部分の部分側面断面図。
【図４Ａ】本発明のもう１つの実施例の複数の図１Ａの実施例の表示装置をスプライシングする時の上面図である。
【図４Ｂ】図４Ａの実施例の表示装置の領域Ａにおける部分の部分拡大図である。
【図４Ｃ】図４Ａの実施例の表示装置の表示領域と枠領域との境界における部分（線分Ｂ−Ｂ’に沿う）の部分側面断面図である。
【図４Ｄ】図４Ａの実施例の表示装置の枠領域の角部と表示領域との境界における部分（線分Ｃ−Ｃ’に沿う）の部分側面断面図である。
【図５】本発明のもう１つの実施例の表示装置の表示領域と枠領域との境界における部分の部分側面断面図。
【発明を実施するための形態】
【００１２】
上述した本発明に係る技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本発明は方向の用語に示されるものに限定されない。
【００１３】
図１Ａは本発明の１つの実施例の表示装置の平面図である。図１Ａに示すように、本実施例では、表示装置１００は表示器１０２を含む。表示器１０２は、表示領域１１０、及び表示領域１１０を囲む枠領域１２０を有する。具体的には、表示器１０２は、例えば液晶表示器（ＬＣＤ：Ｌｉｑｕｉｄ  Ｃｒｙｓｔａｌ  Ｄｉｓｐｌａｙ）である。表示領域１１０は、表示画面を表示する複数の表示画素（図示せず）を有し、枠領域１２０は、表示器１０２の非表示領域である。１つの態様では、表示器１０２は他の種類の表示器、例えば有機発光表示器（ＯＬＥＤ：Ｏｒｇａｎｉｃ  Ｌｉｇｈｔ  Ｅｍｉｔｔｉｎｇ  Ｄｉｓｐｌａｙ）等であってもよく、本発明はこれに限定されない。
【００１４】
図１Ｂは図１Ａの実施例の表示装置の表示領域と枠領域との境界における部分（線分Ａ−Ａ’に沿う）の部分側面断面図である。図１Ａ及び図１Ｂに示すように、本実施例では、表示領域１１０は、エッジ領域ＥＡを有する。エッジ領域ＥＡは、表示領域１１０の枠領域１２０に近い領域である。具体的には、表示装置１００は第１プリズム１３０及び第２プリズム１４０をさらに含み、第１プリズム１３０及び第２プリズム１４０は例えば透明材料により製造され、透明材料は例えばポリメチルメタクリレート（Ｐｏｌｙｍｅｔｈｙｌｍｅｔｈａｃｒｙｌａｔｅ：ＰＭＭＡ）、ポリカーボネート（Ｐｏｌｙｃａｒｂｏｎａｔｅ：ＰＣ）、ガラス（ｇｌａｓｓ）であるが、本発明はこれに限定されない。第１プリズム１３０は、表示領域１１０のエッジ領域ＥＡに配置され、第２プリズム１４０は第１プリズム１３０の傍に配置され、枠領域１２０の上方に位置する。本実施例では、第１プリズム１３０は、第１入光面１３２、反射屈折面１３４及び第１出光面１３６を有する。第１出光面１３６は、第１入光面１３２及び反射屈折面１３４に接続される。第１入光面１３２は表示領域１１０に対向し、反射屈折面１３４は表示領域１１０の表面に対して傾斜する。また、第２プリズムは、第２入光面１４２及び第２出光面１４６を有する。第２入光面１４２は、第１プリズム１３０の第１出光面１３６に対向し、第２出光面１４６は枠領域１２０の上方に位置し、且つ枠領域１２０に背中を向けている。具体的には、第２プリズム１４０は表示領域１１０の表面に対して傾斜する傾斜面１４４を有し、傾斜面１４４は、第２入光面１４２及び第２出光面１４６に接続される。
【００１５】
図１Ｂに示すように、本実施例では、第１プリズム１３０の第１出光面１３６と第２プリズム１４０の第２入光面１４２とは隣接し、且つ互いに対向しており、第１出光面１３６と第２入光面１４２との間には隙間Ｇがある。具体的には、本実施例の第１プリズム１３０は表示領域１１０の上方に位置し、第２プリズム１４０の一部は表示領域１１０の上方に位置し、第２プリズム１４０の他部は枠領域１２０の上方に位置する。第１プリズム１３０と第２プリズム１４０との間の隙間Ｇは表示領域１１０の上方（即ち表示領域１１０の範囲内）に位置する。また、１つの態様では、隙間Ｇは表示領域１１０と枠領域１２０との境界に合わせてもよい。本実施例では、第１プリズム１３０は、例えば第１入光面１３２が下に向かうように、直接表示領域１１０のエッジ領域ＥＡに配置されてもよいし、接着の方式を用いて、第１入光面１３２が下に向かうように表示領域１１０のエッジ領域ＥＡに固定されてもよい。また、第２プリズム１４０は、機構部材又は他の支持物によって固定され、第２プリズム１４０が第１プリズム１３０に隣接して配置され、第２入光面１４２が第１プリズム１３０の第１出光面１３６に対向している。なお、第１プリズム１３０と第２プリズム１４０との間の隙間Ｇは、例えば空気隙間、気体隙間又は真空隙間であってもよいが、本発明はこれに限定されない。
【００１６】
図１Ｂに示すように、本実施例では、表示領域１１０の第１入光面１３２により覆われている領域は光束Ｌを射出する。具体的には、光束Ｌは、例えば表示領域１１０を透過する画素であり、表示領域１１０の第１プリズム１３０に対向する表面から射出される。本実施例では、光束Ｌは光束Ｌ１及び光束Ｌ２を含む。光束Ｌ１（即ち一部の光束Ｌ）は、順次前記第１入光面１３２及び反射屈折面１３４を透過した後に、表示領域１１０の上方に出射される。具体的には、光束Ｌ１は、第１入光面１３２を透過した後に、反射屈折面１３４で屈折されて、第１プリズム１３０から離れる。また、光束Ｌ２（もう一部の光束Ｌ）は、順次第１入光面１３２を透過して、反射屈折面１３４により反射され、順次第１出光面１３６、隙間Ｇ、第２プリズム１４０の第２入光面１４２及び第２出光面１４６を透過して、枠領域１２０の上方へ伝搬される。本実施例では、第２プリズム１４０の傾斜面１４４は、第２入光面１４２からの光束Ｌ２の少なくとも一部を第２出光面１４６に反射する。具体的には、光束Ｌ２は、第１入光面１３２を透過して第１プリズム１３０に入った後に、反射屈折面１３４での入射角が臨界角（ｃｒｉｔｉｃａｌ  ａｎｇｌｅ）よりも大きいため、全反射（ｔｏｔａｌ  ｒｅｆｌｅｃｔｉｏｎ）が発生する。光束Ｌ２は、反射屈折面１３４で全反射され、第１出光面１３６に反射される。そして、光束Ｌ２は、順次第１出光面１３６、隙間Ｇ、第２プリズム１４０の第２入光面１４２を透過した後に、傾斜面１４４でも全反射が発生する。光束Ｌ２は、傾斜面１４４で全反射され、第２出光面１４６へ反射される。また、本実施例では、光束Ｌは、第１出光面１３６に向かう光束Ｌ３をさらに含む。光束Ｌ３は、第１出光面１３６で反射され、反射屈折面１３４に反射され、反射屈折面１３４で出射される。より具体的には、第１プリズム１３０の屈折率が隙間Ｇの屈折率よりも大きいため、光束Ｌ３は第１出光面１３６で全反射され、反射屈折面１３４に反射され、反射屈折面１３４で出射されやすい。
【００１７】
本実施例では、第１プリズム１３０の反射屈折面１３４は、表示器１０２の表示領域１１０の表面に対して傾斜角θ１を有する。傾斜角θ１の角度は１０°〜８０°の範囲内にある。好ましくは、傾斜角θ１の角度は３０°〜６０°の範囲内にある。より好ましくは、傾斜角θ１の角度は３５°〜４５°の範囲内にある。また、第２プリズム１４０の傾斜面１４４は、表示器１０２の表示領域１１０の表面に対して傾斜角θ２を有する。傾斜角θ２の角度は１０°〜８０°の範囲内にある。好ましくは、傾斜角θ２の角度は３０°〜６０°の範囲内にある。より好ましくは、傾斜角θ２の角度は４０°〜５０°の範囲内にある。
【００１８】
図１Ｃは本発明の１つの実施例の複数の図１Ａの実施例の表示装置をスプライシングする時の上面図である。図１Ｂ及び図１Ｃに示すように、本実施例では、４つの表示装置１００は、２×２の方式でスプライシングされ、比較的に大きい表示画面の表示効果を達成する。なお、他の態様では、他の種類の表示装置のスプライシングを用いてもよく、これらの表示装置は他のスプライシング方法を用いてもよいが、本発明はこれに限定されない。本実施例では、第２プリズム１４０が第１プリズム１３０の傍に配置され、且つ表示器１０２の枠領域１２０の上方に位置する。また、表示器１０２の表示領域１１０の第１入光面１３２により覆われている領域からの一部の光束Ｌ（即ち光束Ｌ２）が順次第１入光面１３２を透過し、反射屈折面１３４により反射され、順次第１出光面１３６、隙間Ｇ、第２入光面１４２及び第２出光面１４６を透過し、枠領域１２０の上方へ伝搬される。従って、元々非表示領域とした枠領域１２０も、第２出光面１４６から出射されて枠領域１２０の上方に伝搬される光束Ｌ２により画面を表示でき、表示装置１００は枠なしの表示効果を達成できる。本実施例では、視聴者が図１Ｃの表示装置１００を見る場合は、これらの表示装置１００の枠を見えない。また、表示器１０２の表示領域１１０の第１入光面１３２により覆われている領域からの一部の光束Ｌ（即ち光束Ｌ３）は、第１出光面１３６で反射され、反射屈折面１３４へ反射されて、反射屈折面１３４で出射される。このため、視聴者が第１プリズム１３０の一方側から比較的に大きい視角で表示装置１００を見ており、且つ例えば第１プリズム１３０の反射屈折面１３４から枠領域１２０への方向に表示装置１００を見る場合は、視聴者はこれらの表示装置１００の枠を見えず、光束Ｌ３により表示された画面を見えるため、表示装置１００の枠領域１２０での表示画面の視角を向上できる。
【００１９】
図２は本発明のもう１つの実施例の表示装置の表示領域と枠領域との境界における部分の部分側面断面図。図２に示すように、本実施例では、表示装置２００は、図１Ａ乃至図１Ｃの表示装置１００と類似する。表示装置２００の構成要件及び関連説明は図１Ａ乃至図１Ｃの表示装置１００を参照してもよく、ここでその説明が省略される。表示装置１００と異なって、表示装置２００は反射部２５０をさらに含む。反射部２５０は反射面２５２を有する。反射面２５２の一端は表示領域１１０と枠領域１２０との境界に実質的に隣接し、反射面２５２の他端は第２プリズム１４０の第２出光面１４６の表示領域１１０から離れた端に隣接する。また、１つの態様では、反射面２５２の一端は表示領域１１０内に位置し、反射面２５２の他端は第２プリズム１４０の第２出光面１４６の表示領域１１０から離れた端に隣接する。或いは、反射面２５２の一端は枠領域１２０内に位置し、反射面２５２の他端は第２プリズム１４０の第２出光面１４６の表示領域１１０から離れた端に隣接してもよいが、本発明はこれに限定されない。本実施例では、第２プリズム１４０の傾斜面１４４は表示器１０２の表示領域１１０の表面に対して傾斜角θ３を有し、反射部２５０の反射面２５２は表示器１０２の表示領域１１０の表面に対して傾斜角θ４を有する。具体的には、傾斜角θ４は傾斜角θ３よりも大きい。言い換えれば、反射面２５２の表示領域１１０に対する傾斜度は、傾斜面１４４の表示領域１１０に対する傾斜度よりも大きい。
【００２０】
本実施例では、表示領域１１０の第１入光面１３２により覆われている領域は光束Ｌ１を射出する。具体的には、光束Ｌは光束Ｌ１及び光束Ｌ２を含む。光束Ｌ１は、順次前記第１入光面１３２及び反射屈折面１３４を透過した後に、表示領域１１０の上方に出射される。また、光束Ｌ２は、順次第１入光面１３２を透過して第１プリズム１３０に入った後に、反射屈折面１３４により反射されて第１出光面へ反射される。そして、光束Ｌ２は、順次第１出光面１３６、隙間Ｇ、第２プリズム１４０の第２入光面１４２を透過する。光束Ｌ２は、傾斜面１４４で反射され、第２出光面１４６に反射される。本実施例では、光束Ｌは光束Ｌ４をさらに含む。光束Ｌ４は、第１入光面１３２を透過して第１プリズム１３０に入った後に、反射屈折面１３４で反射されて第１出光面１３６へ反射される。そして、光束Ｌ４は、順次第１出光面１３６、隙間Ｇ、第２プリズム１４０の第２入光面１４２を透過して、傾斜面１４４で屈折されて第２プリズムから離れる。そして、光束Ｌ４は、反射部２５０の反射面２５２で反射されて、傾斜面１４４により屈折されて第２プリズム１４０に再び入る。第２プリズム１４０に再び入った光束Ｌ４は、斜めに上へ伝搬されて第２出光面１４６で出射される。本実施例では、元々非表示領域とした枠領域１２０は、第２出光面１４６から出射されて枠領域１２０の上方に伝搬された光束Ｌ２により画面を表示でき、表示装置２００は、図１Ａ乃至図１Ｃの実施例の表示装置１００と類似する枠なしの表示効果を達成できる。また、表示装置２００は反射部２５０を含み、反射部２５０は反射面２５２を有する。従って、傾斜面１４４で屈折されて第２プリズム１４０から離れた光束Ｌ４は、反射部２５０により第２プリズム１４０に再び戻り、第２出光面１４６から斜めに出射されることができる。視聴者が第１プリズム１３０の一方側から比較的に大きい視角で表示装置２００を見ており、且つ例えば第１プリズム１３０の反射屈折面１３４から枠領域１２０への方向に表示装置２００を見る場合は、視聴者は表示装置２００の枠を見えず、光束Ｌ４により表示された画面を見えるため、表示装置２００の枠領域２００での表示画面の視角を向上できる。
【００２１】
本実施例では、表示装置２００の第１プリズム１３０の反射屈折面１３４は、表示器１０２の表示領域１１０の表面に対して傾斜角θ１を有する。傾斜角θ１の角度は１０°〜８０°の範囲内にある。好ましくは、傾斜角θ１の角度は３０°〜６０°の範囲内にある。より好ましくは、傾斜角θ１の角度は３５°〜４５°の範囲内にある。また、傾斜角θ１が小さいほど、視聴者が第１プリズム１３０の一方側から表示領域１１０により射出された小さい傾斜角度の光速を見ることができ、その輝度が高い。一方、傾斜角θ１が大きいほど、視聴者が第１プリズム１３０の一方側から表示領域１１０により射出された大きい傾斜角度の光速を見ることができ、その輝度が低い。上記表示領域１１０により射出された小さい傾斜角度の光束は、表示領域１１０により射出された光束と、表示領域１１０の表面に垂直する法線との夾角が小さいことを意味し、表示領域１１０により射出された大きい傾斜角度の光束は、表示領域１１０により射出された光束と、表示領域１１０の表面に垂直する法線との夾角が大きいことを意味する。例えば、傾斜角θ１が４０°の場合の視聴者が第１プリズム１３０の一方側から見える、表示領域１１０により射出された光束の傾斜角は、傾斜角θ１が４５°の場合の視聴者が第１プリズム１３０の一方側から見える、表示領域１１０により射出された光束の傾斜角よりも小さい。また、傾斜角θ１が４０°の場合の視聴者が第１プリズム１３０の一方側から見える、表示領域１１０により射出された光束の輝度は、傾斜角θ１が４５°の場合の視聴者が第１プリズム１３０の一方側から見える、表示領域１１０により射出された光束の輝度よりも高い。
【００２２】
図３は本発明のもう１つの実施例の表示装置の表示領域と枠領域との境界における部分の部分側面断面図。図３に示すように、本実施例では、表示装置３００は、図１Ａ乃至図１Ｃの表示装置１００と類似する。表示装置３００の構成要件及び関連説明は図１Ａ乃至図１Ｃの表示装置１００を参照してもよく、ここでその説明が省略される。表示装置１００と異なって、表示装置３００は表示器３０２を含む。表示器３０２は、表示領域３１０、及び表示領域３１０を囲む枠領域３２０を有する。表示領域３００は、表示領域３１０のエッジ領域ＥＡと第１入光面１３２との間に配置される視差バリア３６０をさらに含む。本実施例では、表示領域３１０は複数の画素を含み、これらの画素の一部は方向Ｄ１に沿って順次配列された画素Ｐ１、画素Ｐ２、画素Ｐ３及び画素Ｐ４を含む。少なくとも画素Ｐ１、画素Ｐ２、画素Ｐ３及び画素Ｐ４はエッジ領域ＥＡ内に位置する。本実施例では、方向Ｄ１は、表示領域３１０から枠領域３２０への方向として定義されている。具体的には、視差バリア３６０は、エッジ領域ＥＡを覆い、且つエッジ領域ＥＡの画素の一部、例えば画素Ｐ２及び画素Ｐ４を遮蔽する複数の遮光部Ｓを有する。また、視差バリア３６０は、エッジ領域の画素のもう一部を露出させる複数の透光部Ｏ、例えば画素Ｐ１及び画素Ｐ３を露出させる開口を有する。本実施例では、視差バリア３６０と表示器３０２との間の距離を調整するように、表示器３０２と視差バリア３６０との間に適切な厚さの透明板３７０を選択的に配置してもよい。
【００２３】
本実施例では、視差バリア３６０の遮光部Ｓにより遮蔽された一部の画素から射出された光束は、透光部Ｏを介して順次第１入光面１３２及び反射屈折面１３４に斜めに伝搬されて、反射屈折面１３４により表示領域１１０の上方に屈折される。具体的には、視差バリア３６０の遮光部Ｓにより遮蔽された画素Ｐ２及び画素Ｐ４は光束Ｌｂ及び光束Ｌｄをそれぞれ射出する。一部の光束Ｌｂ及び一部の光束Ｌｄは視差バリア３６０の遮光部Ｓにより遮蔽され、もう一部の光束Ｌｂ及びもう一部の光束Ｌｄは透光部Ｏを介して順次第１入光面１３２及び反射屈折面１３４に斜めに伝搬されて、反射屈折面１３４により屈折されて表示領域１１０の上方に屈折される。また、本実施例では、もう一部の画素から射出された光束は、透光部Ｏを介して順次第１入光面１３２を透過して、反射屈折面１３４により反射されて、隙間Ｇを透過して、第２入光面１４２から出射される。具体的には、視差バリア３６０の遮光部Ｓにより遮蔽されていない画素Ｐ１及び画素Ｐ３は光束Ｌａ及び光束Ｌｃをそれぞれ射出する。光束Ｌａ及び光束Ｌｃは、透光部Ｏを介して順次第１入光面１３２を透過して、反射屈折面１３４により反射され、隙間Ｇを透過して、第２入光面１４２から出射される。
【００２４】
本実施例では、表示装置３００の上方に位置する視聴者は、方向Ｄ１に沿って順次に画素Ｐ２からの光束Ｌｂ、画素Ｐ４からの光束Ｌｄ、画素Ｐ１からの光束Ｌａ及び画素Ｐ３からの光束Ｌｃを見える。具体的には、画素Ｐ２からの光束Ｌｂ及び画素Ｐ４からの光束Ｌｄは表示領域３１０により表示され、画素Ｐ１からの光束Ｌａ及び画素Ｐ３からの光束Ｌｃは枠領域３２０により表示される。言い換えれば、エッジ領域ＥＡのこれらの画素の設計、及び視差バリア３６０のこれらの画素への遮蔽により、表示装置３００は表示領域３１０及び枠領域３２０において異なる画面を表示できる。
【００２５】
図４Ａは本発明のもう１つの実施例の複数の図１Ａの実施例の表示装置をスプライシングする時の上面図であり、図４Ｂは図４Ａの実施例の表示装置の領域Ａにおける部分の部分拡大図であり、図４Ｃは図４Ａの実施例の表示装置の表示領域と枠領域との境界における部分（線分Ｂ−Ｂ’に沿う）の部分側面断面図であり、図４Ｄは図４Ａの実施例の表示装置の枠領域の角部と表示領域との境界における部分（線分Ｃ−Ｃ’に沿う）の部分側面断面図である。図４Ａに示すように、本実施例では、複数の表示装置４００は、図１Ｃの実施例のスプライシング方式と類似の方式でスプライシングされる。表示装置４００は図２の実施例の表示装置２００と類似する。表示装置４００の構成要件及び関連説明は図４の表示装置２００を参照してもよく、ここでその説明が省略される。本実施例では、表示装置４００は表示器４０２を含み、表示器４０２は表示領域４１０、及び表示領域４１０を囲む枠領域４２０を有する。具体的には、図４Ａ及び図４Ｃに示すように、表示装置４００は表示器４０２の上に配置された透明板４９０をさらに含む。透明板４９０は第１プリズム１３０及び第２プリズム１４０を覆う。本実施例では、透明板４９０は第３入光面４９２を有する。第３入光面４９２は、第１プリズム１３０の反射屈折面１３４に対向し、且つ反射屈折面１３４に当接する。表示領域４１０からの反射屈折面１３４により表示領域４１０の上方に屈折された光束は、第３入光面４９２から透明板４９０に入って上へ伝搬される。また、表示領域４１０からの第２出光面１４６から出射された光束も、透明板４９０を介して上へ伝搬される。
【００２６】
そして、図４Ａ、図４Ｂ及び図４Ｄに示すように、本実施例では、表示装置４００の枠領域４２０は、表示装置４００のコーナーにおいて角部４２２（図４Ｂに図示）を有する。表示装置４００は、枠領域４２０の角部４２２の上方に配置されたプリズム群４８０をさらに含む。具体的には、図４Ｂ及び図４Ｄに示すように、表示領域４１０の角部４２２に接近する画素は、光束Ｌ５及び光束Ｌ６を射出する。光束Ｌ５は垂直に射出され、表示領域４１０の表示効果を達成する。一部の非垂直に射出された光束Ｌ６は、プリズム群４８０を介して転向され、垂直に射出されることによって、枠領域４２０の角部４２２は画面を表示できる。
【００２７】
本実施例では、元々非表示領域とした枠領域４２０は、第２出光面１４６により出射され、枠領域４２０の上方へ伝搬された光束により画面を表示できるため、表示装置４００は図１Ａ乃至図１Ｃの実施例の表示装置１００の枠なしの表示効果を達成できる。また、表示装置４００は反射部２５０を含むため、表示装置４００の枠領域４２０での表示画面の視角を向上できる。また、表示装置４００の透明板４９０は第１プリズム１３０及び第２プリズムに対して保護の効果を果たすことができる。さらに、一部の非垂直に射出された光束Ｌ６はプリズム群４８０を介して転向され、垂直に射出されることによって、枠領域４２０の角部４２２は画面を表示できる。
【００２８】
図５は本発明のもう１つの実施例の表示装置の表示領域と枠領域との境界における部分の部分側面断面図。図５に示すように、本実施例では、表示装置５００は、図４Ａ乃至図４Ｄの表示装置４００と類似する。表示装置５００の構成要件及び関連説明は図４Ａ乃至図４Ｄの表示装置４００を参照してもよく、ここでその説明が省略される。表示装置４００と異なって、表示装置５００の透明板５９０の第３入光面５９２は、表示器４０２の表面に実質的に平行する。具体的には、表示領域４１０からの反射屈折面１３４により表示領域４１０の上方に屈折された光束（図示せず）は第３入光面５９２から透明板５９０に入って上へ伝搬され、この光束は、第３入光面５９２に入る前後、その出射方向が屈折により変えることなく、そのままで上へ伝搬される。本実施例では、表示装置５００は、図４Ａ乃至図４Ｄの実施例の表示装置４００と類似する枠なしの表示効果を達成でき、第１プリズム１３０から出射された光束は、配置された透明板５９０により出射方向が変えることはなく、好適な表示効果を達成できる。
【００２９】
上述したように、本発明の実施例は下記の利点の少なくとも１つを有する。本発明の実施例の表示装置では、第２プリズムが第１プリズムの傍に配置され、且つ表示器の枠領域の上方に位置する。また、表示器の表示領域の第１入光面により覆われている領域からの一部の光束が順次第１入光面を透過し、反射屈折面により反射され、順次第１出光面、隙間、第２入光面及び第２出光面を透過し、枠領域の上方へ伝搬される。このため、表示装置は、枠なしの表示効果を達成できる。また、第１プリズムの傾斜角、第１プリズムと第２プリズムとの間の隙間又は反射手段の設計を利用することで、視聴者が第１プリズムの一方側から比較的に大きい視角で表示装置を鑑賞場合であっても、視聴者が表示装置の枠を見えず、表示画面を見えるため、大視角で表示画面を見る場合の表示効果を向上できる。
【００３０】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。また、本発明の実施例又は特許請求の範囲は何れも本発明により開示された目的又は利点又は特徴の全てを必ずしも実現する必要はない。また、要約部分と発明の名称は単に特許文献のサーチ作業を補助するためのものであり、本発明の権利範囲を限定するものではない。また、本明細書又は特許請求の範囲における「第１」、「第２」等の用語は単なる部材（ｅｌｅｍｅｎｔ）の名称を命名する或いは異なる実施例又は範囲を区別するためのものであり、部材の数の上限又は下限を限定するものではない。
【符号の説明】
【００３１】
１００、２００、３００、４００、５００    表示装置
１０２、３０２、４０２    表示器
１１０、３１０、４１０    表示領域
１２０、３２０、４２０    枠領域
１３０    第１プリズム
１３２    第１入光面
１３４    反射屈折面
１３６    第１出光面
１４０    第２プリズム
１４２    第２入光面
１４４    傾斜面
１４６    第２出光面
２５０    反射部
２５２    反射面
３６０    視差バリア
３７０、４９０、５９０    透明板
４２２    角部
４８０    プリズム群
４９２、５９２    第３入光面
Ａ    領域
Ａ−Ａ’、Ｂ−Ｂ’、Ｃ−Ｃ’    線分
Ｄ１    方向
ＥＡ    エッジ領域
Ｇ    隙間
Ｌ、Ｌ１、Ｌ２、Ｌ３、Ｌ４、Ｌａ、Ｌｂ、Ｌｃ、Ｌｄ    光束
Ｏ    透光部
Ｐ１、Ｐ２、Ｐ３、Ｐ４    画素
Ｓ    遮光部
θ１、θ２、θ３、θ４    傾斜角
【図１Ａ】
0006681311.tif 000002
【図１Ｂ】
0006681311.tif 000003
【図１Ｃ】
0006681311.tif 000004
【図２】
0006681311.tif 000005
【図３】
0006681311.tif 000006
【図４Ａ】
0006681311.tif 000007
【図４Ｂ】
0006681311.tif 000008
【図４Ｃ】
0006681311.tif 000009
【図４Ｄ】
0006681311.tif 000010
【図５】
0006681311.tif 000011